(57)【要約】      （修正有）【課題】ドライバビットを付け替えることなく異なる種類のネジの締め付け又は取外しが可能な間接活線用先端工具を提供する。【解決手段】間接活線用先端工具１は、中空の円筒状に形成された本体２と、本体の両端に設けられた共用操作棒の先端部と接続可能に形成された接続部３ａ、３ｂと、本体の内部に設けられ、先端と基端とに異なる種類のドライバを備えるドライバビット４と、ドライバビットを本体に固定するロック機構５と、を有して構成されている。ネジの種類に合わせて接続部を共用操作棒の先端に接続するだけで、所望のネジの種類に対応したドライバビットが他方の接続部から突出させ、ドライバビットを付け替えることなく異なる種類のネジの締め付け又は取外しができる。【選択図】図１
2016144309.tif 000002
【特許請求の範囲】
【請求項１】
中空の円筒状に形成された本体と、
前記本体の両端に設けられた共用操作棒の先端部と接続可能に形成された接続部と、
前記本体の内部に設けられ、先端と基端とに異なる種類のドライバを備えるドライバビットと、
前記ドライバビットを前記本体に固定するロック機構と、を有することを特徴とする間接活線用先端工具。
【請求項２】
前記ドライバビットは、外方に向かって突設された突起部が設けられ、
前記本体は、軸方向に沿って内周面に摺動溝が形成され、
前記摺動溝は、前記突起部が摺動可能に形成されることを特徴とする請求項１に記載の間接活線用先端工具。
【請求項３】
前記突起部と、前記摺動溝とは、複数設けられていることを特徴とする請求項２に記載の間接活線用先端工具。
【請求項４】
前記ロック機構は、
前記本体の摺動溝に沿って本体内部と外部とを連通するように形成された調整孔と、
前記調整孔にネジ形成部が挿通可能に形成されたネジと、
前記ドライバビッドの突起部に形成され前記ネジと螺合可能に形成された固定部と、を有し、
前記ネジの頭頂部は、調整孔の前記本体の軸方向に対して左右方向の幅方向よりも広く形成され、前記ネジを前記固定部に螺合させたときに前記本体の外周面に当接されることを特徴とする請求項２又は３に記載の間接活線用先端工具。
【請求項５】
前記本体は、前記本体の摺動溝の一端に形成される摺動側第１係止部と、摺動溝の他端に形成される摺動側第２係止部と、が形成され、
前記突起部は、前記摺動溝の一端側に対峙するに突起側第１係止部と、前記摺動溝の他端側に対峙する面に突起側第２係止部と、が形成され、
前記摺動側第１係止部と、前記突起側第１係止部とは、第１のバネが接続され、
前記摺動側第２係止部と、前記突起側第２係止部とは、第２のバネが接続されることを特徴とする請求項２乃至４のいずれかに記載の間接活線用先端工具。
【請求項６】
前記突起部と、前記摺動溝とは、複数設けられ、
前記本体は、前記本体の摺動溝の一端に形成される摺動側第１係止部と、摺動溝の他端に形成される摺動側第２係止部と、が形成され、
前記突起部は、前記摺動溝の一端側に対峙する面に突起側第１係止部と、前記摺動溝の他端側に対峙する面に突起側第２係止部と、が形成され、
前記摺動側第１係止部と、前記突起側第１係止部とは、第１のバネが接続され、
前記摺動側第２係止部と、前記突起側第２係止部とは、第２のバネが接続され、
前記第１のバネと第２のバネとは、２箇所以上に設けられることを特徴とする請求項２に記載の間接活線用先端工具。
【発明の詳細な説明】
【技術分野】
【０００１】
本発明は、共用操作棒の先端に取り付ける間接活線用先端工具に関し、特に、ドライバビットを備えた間接活線用先端工具に関する。
【背景技術】
【０００２】
従来、高圧カットアウトに接続された引下線を外す場合には、ドライバビットを備えた間接活線用先端工具を共用操作棒の先端に接続して、ネジを取り外す作業を行っている。
【０００３】
このような間接活線用先端工具としては、図６に示すように、共用操作棒の先端に接続する接続部１０１と、接続部に取り付けるアダプタ１０２と、アダプタの先端に取り付けるドライバビット１０３と、から構成されるものがある。
【０００４】
なお、ドライバビットとしては、たとえば、特許文献１に示すように、筒状の本体内部を移動可能なドライバビットが開示されている。
【先行技術文献】
【特許文献】
【０００５】
【特許文献１】特開２０１０−１３７３３２号公報
【発明の概要】
【発明が解決しようとする課題】
【０００６】
しかしながら、上述の従来の先端工具を使用して引下線を取り外す場合には、プラスやマイナスなどネジの種類に応じてビットを付け替える必要があり、付け替え作業に手間がかかる問題がある。
【０００７】
また、ドライバビットは小さく、作業者の手から滑って落下させてしまうことがあり、落としたドライバビットを探すために作業を中断せざる負えなくなる問題や、紛失することで作業が行えなくなる問題もある。
【０００８】
さらに、高所で作業が行われるため、落下したドライバビットが他の作業者にあたってけがをする恐れもある。
【０００９】
さらにまた、このような落下や紛失を防ぐために、外したドライバビットを収納ケースに収めて保管しなければならず、この収納ケースを作業者が携帯する工具袋に収めるため、収納スペースが減り持ち運びが不便な問題もある。そして、作業時には、工具袋から収納ケースを取り出し、ドライバビットをセットし、作業終了後は、再びこれらを元に戻す作業をしなければならず、手間がかかり作業時間が長くなる問題がある。
【００１０】
そこで、ドライバビットを付け替えることなく異なる種類のネジの締め付け又は取外し作業をすることが可能な間接活線用先端工具の開発が望まれていた。
【００１１】
本発明は係る事情に鑑みてなされたものであり、ドライバビットを付け替えることなく異なる種類のネジの締め付け又は取外しが可能な間接活線用先端工具を提供することを主たる課題としている。
【課題を解決するための手段】
【００１２】
上記課題を達成するために、本発明に係る間接活線用先端工具は、中空の円筒状に形成された本体と、前記本体の両端に設けられた共用操作棒の先端部と接続可能に形成された接続部と、前記本体の内部に設けられ、先端と基端とに異なる種類のドライバを備えるドライバビットと、前記ドライバビットを前記本体に固定するロック機構と、を有することを特徴としている。
【００１３】
本体に、先端と基端とに異なる種類のドライバを備えるドライバビットを有することで、共用操作棒の先端部に接続部を取り付けた際にドライバビットの後端が共用操作棒の先端によって押し出され、他方の接続部からドライバビットの先端が突出することになる。この際、ドライバビットをロック機構で本体に固定することでネジの締め付け、又は取外し作業をすることでできる。
また、異なる種類のドライバビットを使用するときは、他方の接続部を共用操作棒の先端に取り付け、上記の説明と同様にして行うことが可能となる。このため、ドライバビットを付け替えることなくネジの締め付け又は取外しが可能となる。
【００１４】
また、ドライバビットは、外方に向かって突設された突起部が設けられ、本体は、軸方向に沿って内周面に摺動溝が形成され、前記摺動溝は、前記突起部が摺動可能に形成されるようにしてもよい。
【００１５】
本体に内周面に前記突起部が摺動する摺動溝が形成されることによって、ネジの締め付け又は取外し作業によってドライバビットが空転することを防ぐことが可能となると共に、ドライバビットの本体内部の移動をガイドすることが可能となる。
【００１６】
さらに、突起部と、摺動溝とは、複数設けられているようにしてもよい。
突起部と、摺動溝と、が複数設けられていることにより、より確実にドライバビットが空転することを防ぐことが可能となると共に、ドライバビットの本体内部の移動をガイドすることが可能となる。
【００１７】
さらにまた、ロック機構は、本体の摺動溝に沿って本体内部と外部とを連通するように形成された調整孔と、前記調整孔にネジ形成部が挿通可能に形成されたネジと、前記ドライバビッドの突起部に形成され前記ネジと螺合可能に形成された固定部と、を有し、前記ネジの頭頂部は、調整孔の前記本体の軸方向に対して左右方向の幅方向よりも広く形成され、前記ネジを前記固定部に螺合させたときに前記本体の外周面に当接されるようにしてもよい。
【００１８】
ネジの頭頂部がネジを固定部に螺合させたときに本体の外周面に当接されることにより、ネジを締め付けるだけで容易にドライバビットを本体に固定することが可能となる。このため、ドライバビットの接続部からの突出長さを容易に調整することが可能となる。
【００１９】
また、本体は、前記本体の摺動溝の一端に形成される摺動側第１係止部と、摺動溝の他端に形成される摺動側第２係止部と、が形成され、突起部は、前記摺動溝の一端側に対峙する面に突起側第１係止部と、前記摺動溝の他端側に対峙する面に突起側第２係止部と、が形成され、前記摺動側第１係止部と、前記突起側第１係止部とは、第１のバネが接続され、前記摺動側第２係止部と、前記突起側第２係止部とは、第２のバネが接続されるようにしてもよい。
【００２０】
摺動側第１係止部と、突起側第１係止部とは、第１のバネが接続され、摺動側第２係止部と、突起側第２係止部とは、第２のバネが接続されることにより、共用操作棒に本発明の間接活線用先端工具を取り付けたときにいずれかのバネがドライバビットが移動することにより収縮し、共用操作棒に本発明の間接活線用先端工具を取り外したときにバネに伸長方向の力が働くため、ロック機構を解除することによりドライバビットが本体に収容されることになる。このため、作業者がドライバビットを移動させる手間を減らすことが可能となる。
【００２１】
さらに、突起部と、摺動溝とは、複数設けられ、本体は、前記本体の摺動溝の一端に形成される摺動側第１係止部と、摺動溝の他端に形成される摺動側第２係止部と、が形成され、前記突起部は、前記摺動溝の一端側に対峙する面に突起側第１係止部と、前記摺動溝の他端側に対峙する面に突起側第２係止部と、が形成され、前記摺動側第１係止部と、前記突起側第１係止部とは、第１のバネが接続され、前記摺動側第２係止部と、前記突起側第２係止部とは、第２のバネが接続され、前記第１のバネと第２のバネとは、２箇所以上に設けられるようにしてもよい。
【００２２】
第１のバネと第２のバネとは、突起部の２箇所以上に設けられるようにすることで、バネの力を強めるとともに、第１のバネと第２のバネとの接続部位にバネの力が集中することを防ぐことができる。このため、ドライバビットの移動をスムーズにすることが可能となる。
【発明の効果】
【００２３】
以上述べたように、本発明に係る間接活線用先端工具によれば、ネジの種類に合わせて接続部を共用操作棒の先端に接続するだけで、所望のネジの種類に対応したドライバビットが他方の接続部から突出させることができるため、ドライバビットを付け替えることなく異なる種類のネジの締め付け又は取外しができる。
【図面の簡単な説明】
【００２４】
【図１】図１は、本発明の間接活線用先端工具の全体構成を示す正面図である。
【図２】図２は、ドライバビットの全体構成を示す斜視図である。
【図３】図３は、図１のＡ−Ａ線断面図である。
【図４】図４は、図１のＢ−Ｂ線断面図である。
【図５】図５は、間接活線用先端工具を共用操作に取り付けた状態を示す図であり、（ａ）は、正面図である。（ｂ）は、（ａ）のＣ−Ｃ線において間接活線用先端工具のみの断面を示した断面図である。
【図６】図６は、従来のドライバビットを備えた間接活線用先端工具を示す正面図である。
【発明を実施するための形態】
【００２５】
以下、本発明に係る間接活線用先端工具について図面を参照しながら説明する。
図１において、間接活線用先端工具１は、中空の円筒状に形成された本体２と、本体２の両端に設けられた共用操作棒の先端部と接続可能に形成された接続部３ａ，３ｂと、本体２の内部に設けられ、先端と基端とに異なる種類のドライバを備えるドライバビット４と、ドライバビット４を本体２に固定するロック機構５と、を有して構成されている。
【００２６】
本体２は、図２及び３に示すように、その内周面に後述するドライバビット４の突起部が摺動する摺動溝２１が２箇所に形成されている。また、本体２の側面には摺動溝２１に沿って本体２内部と外部とを連通するように調整孔２２が形成されている。
【００２７】
両摺動溝２１の一端側には、コイル状に形成された第１のバネ６と接続する摺動側第１係止部２１ａが形成され、他端側には、コイル状に形成された第２のバネ７と接続する摺動側第２係止部２１ｂが形成されている。
【００２８】
第１のバネ６と、第２のバネ７とは、共に圧縮バネであり、それぞれ同等の長さ、同等のバネ定数のものが用いられており、共に両端がフック状に形成されている。
【００２９】
摺動側第１係止部２１ａと、摺動側第２係止部２１ｂとは、第１のバネ６又は第２のバネ７との端部を挿通可能にリング状に形成されている。
【００３０】
接続部３ａ，３ｂは、共用操作棒の先端を挿入可能に中空の円筒状に形成されたもので、側面には、共用操作棒８の先端部に形成された凸部とツイストロックが可能に係合孔３１が形成されている。
【００３１】
ドライバビット４は、図４にも示すように、先端にプラスのネジを締め付け可能に形成されたプラス形成部４１を有し、基端にマイナスのネジを締め付け可能に形成されたマイナス形成部４２を有して棒状に形成されたもので、軸方向の略中間位置から外方に向かって円盤状に突出した円盤部４３が形成されている。
【００３２】
円盤部４３の直径は、本体２の内径よりも僅かに短く形成されている。またこの円盤部４３には、ドライバビット４の軸を中心として略対称とする位置に外方に向かって突設された突起部４４が２箇所に設けられている。
【００３３】
突起部４４は、本体２の一端側に対峙する面（プラス形成部４１が形成される側の面）には、第１のバネ６を固定する突起側第１係止部４５ａが、本体２の他端側に対峙する面（マイナス形成部４２が形成される側の面）には、第２のバネ７を固定する突起側第２係止部４５ｂが形成されている。
【００３４】
突起側第１係止部４５ａと、突起側第２係止部４５ｂとは、第１のバネ６又は第２のバネ７との端部を挿通可能にリング状に形成されている。
【００３５】
そして、摺動溝２１に形成される摺動側第１係止部２１ａと、突起部４４に形成される突起側第１係止部４５ａとは、第１のバネ６が接続される。また、摺動溝２１に形成される摺動側第２係止部２１ｂと、突起部４４に形成される突起側第２係止部４５ｂとは、第２のバネ７が接続される。
【００３６】
また、一方の突起部４４の先端面には、後述するネジ９と螺合可能な固定部４６が形成されている。
【００３７】
ロック機構５は、本体２の調整孔２２と、ネジ９と、ドライバビット４の固定部４６と、により構成されている。
【００３８】
ネジ９は、本体２の外側に配置される頭頂部９１と、調整孔２２に挿通され突起部４４の固定部４６と螺合するネジ形成部９２とから構成されている。
【００３９】
頭頂部９１は、円筒状に形成され、調整孔２２の本体２の軸方向に対して左右方向の幅方向よりも広く形成され、ネジ９を固定部４６に螺合させたときに本体２の外周面に当接されるように形成されている。
【００４０】
ネジ形成部９２は、少なくとも、本体２の外周面から突起部４４の先端面までの長さよりも長く形成されている。
【００４１】
以上で説明した間接活線用先端工具１を共用操作棒８に接続して使用する方法を説明する。
図５に示すように、共用操作棒８の先端部８１に接続部３ｂを押し付け、ツイストロックさせて間接活線用先端工具１を取り付ける。この際、ドライバビット４の後端（マイナス形成部４２）が共用操作棒８の先端部８１によって押し出され、他方の接続部３ａからドライバビット４の先端（プラス形成部４１）が突出することになる。このとき、第１のバネ６は収縮し、第２のバネ７は伸長することになる。
【００４２】
ドライバビット４の先端（プラス形成部４１）の突出長さを所望の位置に調整し、ロック機構５で本体２にドライバビット４を固定する。
【００４３】
また、他方の種類（マイナス側）のドライバビット４を使用するときは、ツイストロックを解除して間接活線用先端工具１を共用操作棒８の先端部８１から取り外す。この際、ロック機構５を解除すると第１のバネ６が伸長するため、ドライバビット４は、本体２の内部に収容される。次に、反対側の接続部３ａ，３ｂを共用操作棒８に取り付け、同様の操作を行う。
【００４４】
以上述べたように、本発明に係る間接活線用先端工具１によれば、ネジの種類に合わせて接続部３ａ，３ｂを共用操作棒８の先端に接続するだけで、所望のネジの種類に対応したドライバビット４が他方の接続部３ａ，３ｂから突出させることができるため、ドライバビット４を付け替えることなく異なる種類のネジの締め付け又は取外しができる。
【００４５】
また、本体２に内周面に突起部４４が摺動する摺動溝２１が形成されることによって、ネジの締め付け又は取外し作業によってドライバビット４が空転することを防ぐことが可能となると共に、ドライバビット４の本体２内部の移動をガイドすることが可能となる。
【００４６】
突起部４４と、摺動溝２１と、が複数設けられていることにより、より確実にドライバビット４が空転することを防ぐことが可能となると共に、ドライバビット４の本体２内部の移動をガイドすることが可能となる。
【００４７】
ネジ９の頭頂部９１がネジ９を固定部４６に螺合させたときに本体２の外周面に当接されることにより、ネジ９を締め付けるだけで容易にドライバビット４を本体２に固定することが可能となる。このため、ドライバビット４の接続部３ａ，３ｂからの突出長さを容易に調整することが可能となる。
【００４８】
摺動側第１係止部２１ａと、突起側第１係止部４５ａとは、第１のバネ６が接続され、摺動側第２係止部２１ｂと、突起側第２係止部４５ｂとは、第２のバネ７が接続されることにより、共用操作棒８に本発明の間接活線用先端工具１を取り付けたときにいずれかのバネがドライバビット４が移動することにより収縮し、共用操作棒８に本発明の間接活線用先端工具１を取り外したときにバネに伸長方向の力が働くため、ロック機構５を解除することによりドライバビット４が本体２に収容されることになる。このため、作業者がドライバビット４を移動させる手間を減らすことが可能となる。
【００４９】
第１のバネ６と第２のバネ７とは、突起部４４の２箇所以上に設けられるようにすることで、バネの力を強めるとともに、第１のバネ６と第２のバネ７との接続部３ａ，３ｂ位にバネの力が集中することを防ぐことができる。このため、ドライバビット４の移動をスムーズにすることが可能となる。
【００５０】
なお、実施例においては、突起部４４と摺動溝２１とをそれぞれ２つずつ設けたがこれに限られず、それぞれ１つずつ設けてもよいし３つ以上設けて実施してもよい。
【００５１】
また、本実施例においては、突起部４４の先端部に固定部４６を設けるようにしたが、ドライバビット４の外周面に固定部４６を設けてもよい。
【符号の説明】
【００５２】
１  間接活線用先端工具
２  本体
２１  摺動溝
２１ａ  摺動側第１係止部
２１ｂ  摺動側第２係止部
２２  調整孔、
３１  係合孔、
３ａ、３ｂ  接続部
４  ドライバビット
４３  円盤部
４４  突起部
４５ａ  突起側第１係止部
４５ｂ  突起側第２係止部
４６  固定部
５  ロック機構
６  第１のバネ
７  第２のバネ
８  共用操作棒
８１  先端部
９  ネジ
９１  頭頂部
９２  ネジ形成部、
【図１】
2016144309.tif 000003
【図２】
2016144309.tif 000004
【図３】
2016144309.tif 000005
【図４】
2016144309.tif 000006
【図５】
2016144309.tif 000007
【図６】
2016144309.tif 000008